(57)【要約】  テストエリアの不足によりデータの記録が不可とされてしまう事態が発生する可能性の低減を図る。  記録層を複数有する光記録媒体の記録層ごとに、レーザパワー制御のための試し書きを行うテストエリアを設定し、設定したテストエリアの所在位置を表す情報を光記録媒体に記録する。また、記録層を複数有し、レーザパワー制御のための試し書きを行うテストエリアが記録層ごとに設定され、設定されたテストエリアの所在位置を表す情報が記録される光記録媒体について、該光記録媒体の記録情報を再生して、テストエリアの所在位置を表す情報を取得する。
2016189943.tif 000002
【特許請求の範囲】
【請求項１】
記録層を複数有する光記録媒体の前記記録層に対してレーザ光照射を行って情報の記録を行う記録部と、
レーザパワー制御のための試し書きを行うテストエリアを前記記録層ごとに設定し、設定したテストエリアの所在位置を表す情報を前記記録部により前記光記録媒体に記録させる制御部と、を備える
記録装置。
【請求項２】
前記制御部は、
前記光記録媒体に適用されるファイルシステムの別に応じて前記テストエリアを設定し分ける
請求項１に記載の記録装置。
【請求項３】
前記制御部は、
前記設定したテストエリアのうち使用候補としたテストエリアである使用候補エリアについて、該使用候補エリアを使用するか否かの判定を、該使用候補エリアに対して前記光記録媒体の層方向におけるレーザ入射面とは逆側に重なっている奥側のテストエリアの使用状況に基づいて行う
請求項１に記載の記録装置。
【請求項４】
前記制御部は、
前記設定したテストエリアのうち使用候補としたテストエリアである使用候補エリアについて、該使用候補エリアを使用するか否かの判定を、該使用候補エリアに対して前記光記録媒体の層方向におけるレーザ入射面側に重なっている手前側のテストエリアの使用状況に基づいて行う
請求項１に記載の記録装置。
【請求項５】
前記制御部は、
前記テストエリアの設定を、ユーザデータを記録するデータゾーンよりも内周側のインナーゾーンと前記データゾーンとを対象として行う
請求項１に記載の記録装置。
【請求項６】
前記制御部は、
前記光記録媒体に前記所在位置を表す情報が記録されている前記テストエリア以外の新たなテストエリアを前記データゾーンに対して設定し、該設定したテストエリアの所在位置を表す情報を前記記録部により前記光記録媒体に記録させる
請求項５に記載の記録装置。
【請求項７】
前記制御部は、
前記データゾーンに対して前記テストエリアを設定する場合は、設定対象とする前記記録層よりも前記レーザ入射面側にある手前側の前記記録層が未記録である領域に対して前記テストエリアを設定する
請求項６に記載の記録装置。
【請求項８】
前記制御部は、
前記データゾーンに対して前記テストエリアを設定する場合は、設定対象とする前記記録層よりも前記レーザ入射面の逆側にある奥側の前記記録層が記録済みである領域に対して前記テストエリアを設定する
請求項６に記載の記録装置。
【請求項９】
記録層を複数有する光記録媒体の前記記録層ごとに、レーザパワー制御のための試し書きを行うテストエリアを設定し、設定したテストエリアの所在位置を表す情報を前記光記録媒体に記録する
記録方法。
【請求項１０】
記録層を複数有し、レーザパワー制御のための試し書きを行うテストエリアが前記記録層ごとに設定され、設定されたテストエリアの所在位置を表す情報が記録される
光記録媒体。
【請求項１１】
記録層を複数有し、レーザパワー制御のための試し書きを行うテストエリアが前記記録層ごとに設定され、設定されたテストエリアの所在位置を表す情報が記録される光記録媒体について、レーザ光照射を行って記録情報を再生する再生部と、
前記再生部により前記光記録媒体の記録情報を再生させ、前記テストエリアの所在位置を表す情報を取得する制御部と、を備える
再生装置。
【請求項１２】
記録層を複数有し、レーザパワー制御のための試し書きを行うテストエリアが前記記録層ごとに設定され、設定されたテストエリアの所在位置を表す情報が記録される光記録媒体について、前記光記録媒体の記録情報を再生して、前記テストエリアの所在位置を表す情報を取得する
再生方法。
【発明の詳細な説明】
【技術分野】
【０００１】
本技術は、例えばライトワンス型やリライタブル型などの記録可能型による光記録媒体について記録を行う記録装置とその方法、及び該光記録媒体、及び該光記録媒体について再生を行う再生装置とその方法に関する。
【先行技術文献】
【特許文献】
【０００２】
【特許文献１】国際公開第０５／０３４１１０号パンフレット
【特許文献２】特開２００４−２９５９４０号公報
【背景技術】
【０００３】
例えばブルーレイディスク（Blu-ray Disc：登録商標）等の円盤型の光記録媒体（以下「光ディスク」とも表記する）が知られている。光記録媒体においては半導体レーザが発光するレーザ光を用いた情報の記録再生が行われる。
レーザ光を用いた光ディスクへの記録は、温度や経時変化によるレーザパワーの変動や、製造時の調整誤差による各種スキューやオフセット、ドライブ制御における記録条件ずれに、大きく影響を受ける。このため特にライトワンスディスクやリライタブルディスク等の記録可能型の光ディスクでは、レーザ駆動回路や光学素子のバラツキを抑え、緻密な発光波形制御を行なっている。【０００４】
記録装置では、データ記録を行う直前に、記録層ごとに配置されたテストエリア（ＯＰＣエリア（Optimum Power Control area））を用いて最適レーザパワーを探索し、記録レーザパワーやストラテジを調整し、記録条件を最適化するのが一般的である。
この記録レーザパワー調整のための試し書きプロセス（テストライト）では、最適記録条件が不明な状態で、摂動などの除去や、記録レーザパワーの最適化、レーザ駆動パルスの最適化を行う必要がある。これら記録レーザパワー等の最適条件を探索するためには、場合によっては、必要以上の高エネルギーのレーザ光が照射されたり、レーザ駆動パルスの幅（レーザ発光時間）が適切でない状態でレーザ照射を行うことがある。このため記録層におけるＯＰＣエリアに深刻なダメージを与えることもあり得る。【０００５】
また、ディスク基板上に複数の記録層が形成された、いわゆる多層光ディスクにおいては、或る記録層の記録再生が、手前側（よりレーザ光の入射面に近い側）に形成された他の記録層における記録状態の影響を受ける。
例えば記録が行われることで記録層の透過率変化が生じ、目的の記録層に対する適切な光量によるレーザ光照射ができなくなることもある。さらに透過率変化が記録パワー依存性を持つため、ＯＰＣエリアのように記録パワーを変化させながら記録を行う箇所では、透過率変化、つまり奥側の記録層への影響の度合いを制御できない。
これらのことから、手前側の記録層の記録状況によっては所望のＯＰＣを実現することができず、正確な最適化条件を導出することが困難になるという問題がある。つまり、或る記録層のＯＰＣエリアにおいて試し書きを伴うレーザパワー調整を行う場合においては、平面方向（ディスク半径方向）に同一の位置（つまり厚み方向（＝層方向）で見て重複するような位置）に配置されている他の記録層のＯＰＣエリアの影響を受ける。【０００６】
これに対して従来は、例えば上記特許文献１に見られるように、異なる記録層におけるＯＰＣエリアを、記録層の半径方向に相互にシフトさせて配置する手法が考えられていた。
既存のブルーレイディスクの２層規格においても、ディスク内周側リードインゾーンに配置された記録層ごとのＯＰＣエリアを、記録層の半径方向にシフトさせて配置するよう規定されている。
【発明の概要】
【発明が解決しようとする課題】
【０００７】
上記のように多層光ディスクにおいては、手前側の記録層の透過率変化による影響を考慮して、各記録層において、ＯＰＣエリア（テストエリア）を層方向で見て重複しない位置に配置している。【０００８】
しかしながら、従来では、テストエリアの配置は同一の光ディスクについて固定とされている。このようにテストエリアの配置が固定であると、システムにより記録層ごとのテストエリアの使用量が異なる場合等に、適切に対応することが困難となる。
例えば、仮にファイルシステムとして、最も奥側の層（「Ｌ０層」と表記）におけるテストエリア使用量が他層に比して多くなる傾向の第１ファイルシステムと、各層のテストエリア使用量が略均等となる傾向の第２ファイルシステムとが適用可能な光ディスクを想定してみる。第２ファイルシステムへの対応のため、テストエリアを各層に略均等に配分した場合には、第１ファイルシステムが適用された場合にＬ０層のテストエリアが不足する傾向となってしまう。逆に、第１ファイルシステムへの対応のため、テストエリアをＬ０層により多く配分した場合には、第２ファイルシステムが適用された場合にＬ０層のテストエリアが過剰となり、相対的に他層のテストエリアが不足する傾向となってしまう。【０００９】
テストエリアが不足傾向であると、ユーザデータの記録領域に空きがあるにも関わらず、ＯＰＣが不能であることにより光記録媒体が記録不可の状態となってしまう事態を招き易くなる。これは、光記録媒体に規定された容量分のユーザデータを記録できないということを意味し、ユーザにとって不利益となる。【００１０】
そこで、本技術では上記した問題点を克服し、テストエリアの不足によりデータの記録が不可とされてしまう事態が発生する可能性の低減を図ることを目的とする。
【課題を解決するための手段】
【００１１】
本技術に係る記録装置は、記録層を複数有する光記録媒体の前記記録層に対してレーザ光照射を行って情報の記録を行う記録部と、レーザパワー制御のための試し書きを行うテストエリアを前記記録層ごとに設定し、設定したテストエリアの所在位置を表す情報を前記記録部により前記光記録媒体に記録させる制御部と、を備えるものである。【００１２】
これにより、テストエリアの所在位置を他装置（テストエリア設定を行った以外の装置）が認識可能であることを担保しつつ、テストエリアを任意の位置及び分量により配置することが可能とされる。すなわち、記録層ごとのテストエリアの使用量が異なるケースが生じ得る光記録媒体について、ケースごとに適応的にテストエリアの設定を行うことが可能となるものである。【００１３】
上記した本技術に係る記録装置においては、前記制御部は、前記光記録媒体に適用されるファイルシステムの別に応じて前記テストエリアを設定し分けることが望ましい。【００１４】
これにより、ファイルシステムの別により記録層ごとのテストエリアの使用量が異なり得る場合に対応して、ファイルシステムに応じて適応的にテストエリアを設定し分けることが可能とされる。【００１５】
上記した本技術に係る記録装置においては、前記制御部は、前記設定したテストエリアのうち使用候補としたテストエリアである使用候補エリアについて、該使用候補エリアを使用するか否かの判定を、該使用候補エリアに対して前記光記録媒体の層方向におけるレーザ入射面とは逆側に重なっている奥側のテストエリアの使用状況に基づいて行うことが望ましい。【００１６】
これにより、奥側のテストエリアが使用済みとなったことを確認した上で手前側のテストエリアを使用することが可能とされる。【００１７】
上記した本技術に係る記録装置においては、前記制御部は、前記設定したテストエリアのうち使用候補としたテストエリアである使用候補エリアについて、該使用候補エリアを使用するか否かの判定を、該使用候補エリアに対して前記光記録媒体の層方向におけるレーザ入射面側に重なっている手前側のテストエリアの使用状況に基づいて行うことが望ましい。【００１８】
これにより、手前側のテストエリアで透過率変化が生じていないことを確認した上で奥側のテストエリアを使用することが可能とされる。【００１９】
上記した本技術に係る記録装置においては、前記制御部は、前記テストエリアの設定を、ユーザデータを記録するデータゾーンよりも内周側のインナーゾーンと前記データゾーンとを対象として行うことが望ましい。【００２０】
これにより、インナーゾーンのみにテストエリアを設定する場合よりもテストエリアを増やすことが可能とされる。また、データゾーンにおいてインナーゾーンよりも高速又は高密度な記録を行う場合等、インナーゾーンとデータゾーンとでレーザパワー調整をし分けることが望ましい場合に対応可能となる。【００２１】
上記した本技術に係る記録装置においては、前記制御部は、前記光記録媒体に前記所在位置を表す情報が記録されている前記テストエリア以外の新たなテストエリアを前記データゾーンに対して設定し、該設定したテストエリアの所在位置を表す情報を前記記録部により前記光記録媒体に記録させることが望ましい。【００２２】
これにより、ユーザデータを記録する領域に対してテストエリアを必要に応じて追加することが可能とされる。【００２３】
上記した本技術に係る記録装置においては、前記制御部は、前記データゾーンに対して前記テストエリアを設定する場合は、設定対象とする前記記録層よりも前記レーザ入射面側にある手前側の前記記録層が未記録である領域に対して前記テストエリアを設定することが望ましい。【００２４】
これにより、手前側に透過率変化が生じていない領域に対してテストエリアを追加することが可能とされる。【００２５】
上記した本技術に係る記録装置においては、前記制御部は、前記データゾーンに対して前記テストエリアを設定する場合は、設定対象とする前記記録層よりも前記レーザ入射面の逆側にある奥側の前記記録層が記録済みである領域に対して前記テストエリアを設定することが望ましい。【００２６】
上記のように奥側が記録済みであることを条件とすることで、設定したテストエリアでレーザパワー調整を行った場合に、奥側の記録層が未記録の状態で記録不可状態とされてしまうことが回避される。【００２７】
また、本技術に係る光記録媒体は、記録層を複数有し、レーザパワー制御のための試し書きを行うテストエリアが前記記録層ごとに設定され、設定されたテストエリアの所在位置を表す情報が記録されるものである。【００２８】
これにより、テストエリアの所在位置を他装置（テストエリア設定を行った以外の装置）が認識可能であることを担保しつつ、テストエリアを任意の位置及び分量により配置することが可能な光記録媒体を実現することが可能とされる。【００２９】
また、本技術に係る再生装置は、記録層を複数有し、レーザパワー制御のための試し書きを行うテストエリアが前記記録層ごとに設定され、設定されたテストエリアの所在位置を表す情報が記録される光記録媒体について、レーザ光照射を行って記録情報を再生する再生部と、前記再生部により前記光記録媒体の記録情報を再生させ、前記テストエリアの所在位置を表す情報を取得する制御部と、を備えるものである。【００３０】
これにより、テストエリアについての互換性を担保することが可能とされる。
【発明の効果】
【００３１】
本技術によれば、テストエリアの不足によりデータの記録が不可とされてしまう事態が発生する可能性の低減を図ることができる。
【図面の簡単な説明】
【００３２】
【図１】実施の形態の光記録媒体の概略断面構造を示した図である。
【図２】実施の形態の光記録媒体の各記録層におけるレイアウトの概要を示した図である。
【図３】記録層ごとの具体的なレイアウトを例示した図である。
【図４】実施の形態のドライブ装置（記録再生装置）の内部構成を示したブロック図である。
【図５】第１ファイルシステムが適用される場合に対応したＯＰＣエリアの設定例を示した図である。
【図６】第２ファイルシステムが適用される場合に対応したＯＰＣエリアの設定例を示した図である。
【図７】ＯＰＣエリアの設定に係る処理を示したフローチャートである。
【図８】設定したＯＰＣエリアの使用に係る処理を示したフローチャートである。
【図９】Ｌ０対応処理を示したフローチャートである。
【図１０】同じく、Ｌ０対応処理を示したフローチャートである。
【図１１】Ｌ１対応処理を示したフローチャートである。
【図１２】Ｌ２対応処理を示したフローチャートである。
【図１３】ユーザデータ領域へのＯＰＣエリア追加処理を示したフローチャートである。
【図１４】ランドグルーブ記録方式が採用される場合に対応したＯＰＣエリアの設定例を示した図である。
【発明を実施するための形態】
【００３３】
以下、本技術に係る実施の形態を次の順序で説明する。
［１．ディスク構造］
［２．ドライブ装置の構成］
［３．ＯＰＣエリアの設定例及び使用例］
［４．処理手順］
［５．実施の形態のまとめ］
［６．変形例］
［７．本技術］
【００３４】
［１．ディスク構造］
本技術に係る実施の形態の光記録媒体１００の概要について説明する。実施の形態の光記録媒体１００は、円盤状の外形形状とされた光ディスクとされ、ライトワンス型ディスク又はリライタブル型ディスクとして実施可能である。
光記録媒体１００の物理パラメータの一例について説明する。
本例の光記録媒体は、ディスクサイズとしては、直径が１２０ｍｍ程度、ディスク厚は１．２ｍｍ程度とされている。すなわち、これらの点では外形的に見ればＤＶＤ（Digital Versatile Disc）方式の光ディスクやＢＤ（Blu-ray Disc：登録商標）方式の光ディスク等と同様となる。
そして記録／再生のためのレーザとして、いわゆる青色レーザが用いられ、また光学系が高ＮＡ（例えばＮＡ＝０．８５）とされ、狭トラックピッチ（例えばトラックピッチ＝０．３２μｍ程度）を実現する。
【００３５】
図１に、本例の光記録媒体１００の概略断面構造を示す。
本例の光記録媒体１００は、レーザ光の照射により記録が行われる記録層Ｌとして記録層Ｌ０、記録層Ｌ１、記録層Ｌ２の計３層を有している。
光記録媒体１００においては、基板１０１上に記録層Ｌ０が形成されている。基板１０１は、例えばポリカーボネート樹脂の射出成形により成形される。射出成形用の金型内にスタンパがセットされることで、基板１０１上にはグルーブ形状が転写される。記録層Ｌ０は、このグルーブに応じた凹凸形状を有している。
記録層Ｌ０上には、中間層１０２を介して同様にグルーブ形状が形成された記録層Ｌ１が形成され、さらに記録層Ｌ１上には中間層１０３を介して同様にグルーブ形状が形成された記録層Ｌ２が形成されている。そして、記録層Ｌ２上には、光透過層１０４が形成される。光透過層１０４は、例えば紫外腺硬化樹脂のスピンコート及び紫外線照射による硬化によって形成する。或いは、紫外線硬化樹脂とポリカーボネートシートや、接着層とポリカーボネートシートを用いて光透過層１０４を形成することもできる。光透過層１０４は、例えば１００μｍ程度の厚みとされ、厚み約１．１ｍｍの基板１０１と合わせて光ディスク全体の厚みが約１．２ｍｍとなる。
光記録媒体１００においては、光透過層１０４の表面側からレーザ光Ｌｂが入射して、記録層Ｌ０〜Ｌ２の任意の層に対する記録や再生が行われる。以下、光透過層１０４の表面を、光記録媒体１００において記録／再生のためのレーザ光が入射する面との意味で「レーザ入射面１００ａ」と表記する。
【００３６】
以下では、光記録媒体１００における記録層Ｌの積層方向を「層方向」と表記する。また、層方向において、レーザ入射面１００ａ側を「手前側」、レーザ入射面１００ａとは逆側を「奥側」と表記する。
【００３７】
図２は、光記録媒体１００の各記録層Ｌにおけるレイアウト（領域構成）の概要を示している。
各記録層Ｌにおける領域としては、内周側からインナーゾーン、データゾーン、アウターゾーンが配置される。
記録／再生に関する領域構成としてみれば、インナーゾーン（リードインエリア）のうちの最内周領域が再生専用領域とされ、インナーゾーンの途中からアウターゾーンまでが、記録可能領域とされる。
再生専用領域には、例えばＢＣＡ（Burst Cutting Area）が設けられる。
またインナーゾーンにおいて、記録可能領域には、管理／制御情報の記録等のため、後述するＯＰＣ、ＴＤＭＡ、リザーブ領域等が形成される。
【００３８】
再生専用領域及び記録可能領域には、ウォブリンググルーブ（蛇行された溝）による記録トラックがスパイラル状に形成されている。グルーブはレーザスポットによるトレースの際のトラッキングのガイドとされ、且つこのグルーブが記録トラックとされてデータの記録再生が行われる。
なお、本例では、グルーブにデータ記録が行われることを前提とする。
【００３９】
また記録トラックとされるグルーブは、ウォブル信号に応じた蛇行形状となっている。そのため、光記録媒体１００に対するドライブ装置（後述するドライブ装置５０）では、グルーブに照射したレーザスポットの反射光からそのグルーブの両エッジ位置を検出し、レーザスポットを記録トラックに沿って移動させていった際におけるその両エッジ位置のディスク半径方向に対する変動成分を抽出することにより、ウォブル信号を再生することができる。
【００４０】
このウォブル信号には、その記録位置における記録トラックのアドレス情報（物理アドレスやその他の付加情報等）が変調されている。そのため、ドライブ装置では、このウォブル信号からアドレス情報等を復調することによって、データの記録や再生の際のアドレス制御等を行うことができる。
【００４１】
図２に示すインナーゾーンは、例えば半径２４ｍｍより内側の領域となる。
インナーゾーンにおいて、ＢＣＡは、光記録媒体１００固有のユニークＩＤを、例えば記録層Ｌを焼き切る記録方式で記録したものである。つまり記録マークを同心円状に並べるように形成していくことで、バーコード状の記録データを形成する。
【００４２】
またインナーゾーンにおいては、ＴＤＭＡ（Temporary Defect Management Area）、ＯＰＣ（Optimum Power Control）エリア、リザーブ領域などを有する所定の領域フォーマットが設定される。ＯＰＣエリアは、記録／再生時のレーザパワー等、データ記録再生条件を設定する際の試し書きなどに使われる。すなわち、記録再生条件調整のための領域である。
【００４３】
インナーゾーンより外周側の例えば半径２４．０〜５８．０ｍｍがデータゾーンとされる。データゾーンは、実際にユーザデータが記録再生される領域である。なお、図２では、データゾーンの開始アドレスＡＤdts、終了アドレスＡＤdteを概念的に示している。
【００４４】
データゾーンにおいては、最内周部分にＩＳＡ（Inner Spare Area）が、また最外周部分にＯＳＡ（Outer Spare Area）が設けられる。ＩＳＡ、ＯＳＡは欠陥やデータ書換（上書）のための交替領域とされる。
ＩＳＡはデータゾーンの開始位置から所定数のクラスタサイズ（１クラスタ＝６５５３６バイト）で形成される。
ＯＳＡはデータゾーンの終了位置から内周側へ所定数のクラスタサイズで形成される。
【００４５】
データゾーンにおいてＩＳＡとＯＳＡとに挟まれた区間がユーザデータ領域とされる。このユーザデータ領域が通常にユーザデータの記録再生に用いられる通常記録再生領域である。図２では、ユーザデータ領域の開始アドレスＡＤus、終了アドレスＡＤueを概念的に示している。
【００４６】
ここで、本例の光記録媒体１００についての記録システムにおいては、データゾーンにおける記録は、インナーゾーンに対する記録と比較して、より高速及び／又は高密度（線方向密度）に行うことが可能とされている。
【００４７】
データゾーンより外周側、例えば半径５８．０〜５８．５ｍｍはアウターゾーン（例えばリードアウトゾーン）とされる。アウターゾーンも管理／制御情報が所定のフォーマットで形成される。
【００４８】
図３は、本例における記録層Ｌごとの具体的なレイアウトを例示している。なお、図３においてはＢＣＡの図示は省略している。
図３に示すように、本例における各記録層Ｌのレイアウトでは、インナーゾーンにおいて、それぞれプリライトエリア（ＰＷＡ）、初期ＯＰＣエリア、及びＴＤＭＡが所定位置に配された上で、インナーゾーンにおけるこれらプリライトエリア、初期ＯＰＣエリア、ＴＤＭＡ以外の領域が、ＯＰＣエリアのリザーブ領域（図中「ＯＰＣ−ｒｅｓｅｒｖｅｄ」）とされている。
なお、プリライトエリアは、例えばサーボ動作等の調整を行うための領域とされる。
【００４９】
初期ＯＰＣエリアは、いわゆるブランクディスクとしての未記録状態の光記録媒体１００に対してフォーマット処理としての記録動作を行う際に、該記録動作に先立ち行われるレーザパワー調整において使用されるべき領域となる。
【００５０】
ＯＰＣエリアのリザーブ領域（以下「ＯＰＣリザーブ領域」と表記する）は、フォーマット処理後の記録動作の際に、該記録動作に先立ち行われるレーザパワー調整において使用するＯＰＣエリアを設定可能とされた領域である。本例においては、ＯＰＣリザーブ領域内の任意の位置に対してＯＰＣエリアを設定可能とされている。
【００５１】
ＴＤＭＡには、欠陥管理のための交替管理情報や、ライトワンス型ディスクにおけるデータ書き換えを実現するための管理／制御情報等、光記録媒体１００に記録された情報を管理するための情報が記録される。特に、交替処理に関する管理情報として、ＴＤＭＡには、ＩＳＡやＯＳＡの管理情報も記録される。ＴＤＭＡは、例えば交替処理等により光記録媒体１００に新たに情報記録が行われて光記録媒体１００上に生じた記録状況の変化を反映させるべく、その内容が逐次更新されるべきものである。このため、ドライブ装置は、ＴＤＭＡの情報を都度追加的に記録するようにされている（例えばディスクイジェクト時に都度最新の情報を記録する）。
本例におけるＴＤＭＡは、例えば下記の参考文献１に記載されるものと同様に、ＴＤＦＬ（Temporary Defect List）やＴＤＤＳ（Temporary Disc Definition Structure）を含んでいる。
・参考文献１…特開２００８−２９３５７１号公報
【００５２】
本例の場合、各記録層Ｌにおけるインナーゾーンにおいては、それぞれ１つのＴＤＭＡが配されている。具体的にこの場合、インナーゾーンにおけるＴＤＭＡは、各記録層Ｌにおいてインナーゾーンの最も外周側の領域に配されている。
その上で、本例では、各記録層Ｌにおけるデータゾーンの最も内周側の領域にもＴＤＭＡが配されている。
この場合、インナーゾーンに配されたＴＤＭＡは最初に使用されるＴＤＭＡであり、データゾーンに配されたＴＤＭＡは次に使用されるＴＤＭＡとされている。すなわち、インナーゾーンに配されたＴＤＭＡが使用済みとされた後は、データゾーンに配されたＴＤＭＡが使用されるものである。
【００５３】
また、本例のレイアウトでは、各記録層Ｌにおいて、データゾーン内に対してもＯＰＣリザーブ領域がそれぞれ配されている。具体的に、該ＯＰＣリザーブ領域は、各記録層ＬにおけるＯＳＡに対して配されている。
【００５４】
ここで、インナーゾーンにおけるプリライトエリア、初期ＯＰＣエリア、及びＯＰＣリザーブ領域の配置は、図示するように記録層Ｌごとに異なっている。
例えば、記録層Ｌ０においては、内周側からＯＰＣリザーブ領域、プリライトエリア、ＯＰＣリザーブ領域、初期ＯＰＣエリア、ＯＰＣリザーブ領域、ＴＤＭＡの順で各領域が配されている。また、記録層Ｌ１では、内周側から初期ＯＰＣエリア、ＯＰＣリザーブ領域、プリライトエリア、ＯＰＣリザーブ領域、ＴＤＭＡの順で各領域が配され、記録層Ｌ２ではＯＰＣリザーブ領域、初期ＯＰＣエリア、プリライトエリア、ＯＰＣリザーブ領域、ＴＤＭＡの順で各領域が配されている。
初期ＯＰＣエリアについては、記録層Ｌ０における初期ＯＰＣエリアは記録層Ｌ２における初期ＯＰＣエリアよりも内周側に配されている。また、プリライトエリアについては、記録層Ｌ０のプリライトエリアの位置を基準とすると、記録層Ｌ１ではより内周側の位置、記録層Ｌ２ではより外周側の位置にそれぞれ配されている。
【００５５】
［２．ドライブ装置の構成］
次に、光記録媒体１００に対応するドライブ装置（記録再生装置）５０を説明していく。
本例のドライブ装置５０は、例えば記録可能領域には何も記録されていないブランク状態の光記録媒体１００に対してフォーマット処理を行う。また、そのようなフォーマット済の光記録媒体１００に対してユーザデータ領域にデータの記録再生を行う。必要時において、ＴＤＭＡ、ＩＳＡ、ＯＳＡへの記録／更新も行う。
【００５６】
図４は、ドライブ装置５０の内部構成を示したブロック図である。
光記録媒体１００は、図示しないターンテーブルに積載され、記録／再生動作時においてスピンドルモータ（ＳＰＭ）５２によって一定線速度（ＣＬＶ）で回転駆動される。そして、光学ピックアップ（光学ヘッド）５１によって光記録媒体１００上のグルーブトラックのウォブリングとして埋め込まれたアドレス情報等の読み出しが行われる。
また、フォーマット時やユーザデータ記録時には、光学ピックアップ５１によって記録可能領域におけるトラックに、管理／制御情報やユーザデータが記録され、再生時には光学ピックアップ５１によって記録されたデータの読み出しが行われる。
【００５７】
光学ピックアップ５１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
【００５８】
光学ピックアップ５１内において、対物レンズは二軸機構によってトラッキング方向及びフォーカス方向に移動可能に保持されている。また、光学ピックアップ５１全体はスレッド機構５３により光記録媒体１００の半径方向に移動可能とされている。
光学ピックアップ５１におけるレーザダイオードは、レーザドライバ６３からのドライブ信号（ドライブ電流）によってレーザ発光駆動される。
【００５９】
光記録媒体１００からの反射光情報は光学ピックアップ５１内のフォトディテクタによって検出され、受光光量に応じた電気信号とされてマトリクス回路５４に供給される。マトリクス回路５４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
さらに、グルーブのウォブリングに係る信号、すなわちウォブリングを検出する信号としてプッシュプル信号を生成する。
なお、マトリクス回路５４は、光学ピックアップ５１内に一体的に構成される場合もある。
【００６０】
マトリクス回路５４から出力される再生データ信号はリーダ／ライタ回路５５へ、フォーカスエラー信号及びトラッキングエラー信号はサーボ回路６１へ、プッシュプル信号はウォブル回路５８へ、それぞれ供給される。
【００６１】
リーダ／ライタ回路５５は、再生データ信号に対して２値化処理、ＰＬＬ（Phase Locked Loop）による再生クロック生成処理等を行い、光学ピックアップ５１により読み出されたデータを再生して、変復調回路５６に供給する。変復調回路５６は、再生時のデコーダとしての機能部位と、記録時のエンコーダとしての機能部位を備える。再生時にはデコード処理として、再生クロックに基づいてランレングスリミテッドコードの復調処理を行う。
また、ＥＣＣ（Error Correction Code）エンコーダ／デコーダ５７は、記録時にエラー訂正コードを付加するＥＣＣエンコード処理と、再生時にエラー訂正を行うＥＣＣデコード処理を行う。
再生時には、変復調回路５６で復調されたデータを内部メモリに取り込んで、エラー検出／訂正処理及びデインターリーブ等の処理を行い、再生データを得る。
ＥＣＣエンコーダ／デコーダ５７で再生データにまでデコードされたデータは、システムコントローラ６０の指示に基づいて、読み出され、接続された機器、例えばＡＶ（Audio-Visual）システム１１０に転送される。
【００６２】
グルーブのウォブリングに係る信号としてマトリクス回路５４から出力されるプッシュプル信号は、ウォブル回路５８において処理される。プッシュプル信号は、ウォブル回路５８においてアドレス情報を構成するデータストリームに復調されてアドレスデコーダ５９に供給される。アドレスデコーダ５９は、供給されるデータについてのデコードを行い、アドレス値を得て、システムコントローラ６０に供給する。
また、アドレスデコーダ５９は、ウォブル回路５８から供給されるウォブル信号を用いたＰＬＬ処理でクロックを生成し、例えば記録時のエンコードクロックとして各部に供給する。
【００６３】
記録時には、ＡＶシステム１１０から記録データが転送されてくるが、その記録データはＥＣＣエンコーダ／デコーダ５７におけるメモリに送られてバッファリングされる。この場合、ＥＣＣエンコーダ／デコーダ５７は、バファリングされた記録データのエンコード処理として、エラー訂正コード付加やインターリーブ、サブコード等の付加を行う。
また、ＥＣＣエンコードされたデータは、変復調回路５６において例えばＲＬＬ（１−７）ＰＰ方式等の所定のランレングスリミテッド符号への変調が施され、リーダ／ライタ回路５５に供給される。
記録時においてこれらのエンコード処理のための基準クロックとなるエンコードクロックは上述したようにウォブル信号から生成したクロックを用いる。
【００６４】
エンコード処理により生成された記録データは、リーダ／ライタ回路５５で記録補償処理として、記録層Ｌの特性、レーザ光のスポット形状、記録線速度等に対する最適記録パワーの微調整やレーザドライブパルス波形の調整などが行われた後、レーザドライブパルスとしてレーザードライバ６３に送られる。
レーザドライバ６３では供給されたレーザドライブパルスを光学ピックアップ５１内のレーザダイオードに与え、レーザ発光駆動を行う。これにより光記録媒体１００に記録データに応じたマークが形成される。
【００６５】
なお、レーザドライバ６３は、いわゆるＡＰＣ（Auto Power Control）回路を備え、光学ピックアップ５１内に設けられたレーザパワーのモニタ用ディテクタの出力によりレーザ出力パワーをモニターしながらレーザーの出力が温度などによらず一定になるように制御する。記録時及び再生時のレーザー出力の目標値はシステムコントローラ６０から与えられ、記録時及び再生時にはそれぞれレーザ出力レベルが、その目標値になるように制御する。
【００６６】
サーボ回路６１は、マトリクス回路５４からのフォーカスエラー信号、トラッキングエラー信号から、フォーカス、トラッキング、スレッドの各種サーボドライブ信号を生成しサーボ動作を実行させる。すなわち、フォーカスエラー信号、トラッキングエラー信号に応じてフォーカスドライブ信号、トラッキングドライブ信号を生成し、光学ピックアップ５１内の二軸機構のフォーカスコイル、トラッキングコイルを駆動する。これにより光学ピックアップ５１、マトリクス回路５４、サーボ回路６１、二軸機構によるトラッキングサーボループ及びフォーカスサーボループが形成される。
【００６７】
またサーボ回路６１は、システムコントローラ６０からのトラックジャンプ指令に応じて、トラッキングサーボループをオフとし、ジャンプドライブ信号を出力することで、トラックジャンプ動作を実行させる。
【００６８】
またサーボ回路６１は、トラッキングエラー信号の低域成分として得られるスレッドエラー信号や、システムコントローラ６０からのアクセス実行制御などに基づいてスレッドドライブ信号を生成し、スレッド機構５３を駆動する。スレッド機構５３には、図示しないが、光学ピックアップ５１を保持するメインシャフト、スレッドモータ、伝達ギア等による機構を有し、スレッドドライブ信号に応じてスレッドモータを駆動することで、光学ピックアップ５１の所要のスライド移動が行なわれる。
【００６９】
スピンドルサーボ回路６２はスピンドルモータ５２をＣＬＶ回転させる制御を行う。
スピンドルサーボ回路６２は、ウォブル信号に対するＰＬＬ処理で生成されるクロックを、現在のスピンドルモータ５２の回転速度情報として得、これを所定のＣＬＶ基準速度情報と比較することで、スピンドルエラー信号を生成する。
また、データ再生時においては、リーダ／ライタ回路５５内のＰＬＬによって生成される再生クロック（デコード処理の基準となるクロック）が、現在のスピンドルモータ５２の回転速度情報となるため、これを所定のＣＬＶ基準速度情報と比較することでスピンドルエラー信号を生成することもできる。
そして、スピンドルサーボ回路６２は、スピンドルエラー信号に応じて生成したスピンドルドライブ信号を出力し、スピンドルモータ６２のＣＬＶ回転を実行させる。また、スピンドルサーボ回路６２は、システムコントローラ６０からのスピンドルキック／ブレーキ制御信号に応じてスピンドルドライブ信号を発生させ、スピンドルモータ５２の起動、停止、加速、減速などの動作も実行させる。
【００７０】
以上のようなサーボ系及び記録再生系の各種動作は、マイクロコンピュータによって形成されたシステムコントローラ６０により制御される。
システムコントローラ６０は、ＡＶシステム１１０からのコマンドに応じて各種処理を実行する。
【００７１】
例えば、ＡＶシステム１１０から書込命令（ライトコマンド）が出されると、システムコントローラ６０は、まず書き込むべきアドレスに光学ピックアップ５１を移動させる。そしてＥＣＣエンコーダ／デコーダ５７、変復調回路５６により、ＡＶシステム１１０から転送されてきたデータについて、上述したようにエンコード処理を実行させる。そして上記のようにリーダ／ライタ回路５５からのレーザドライブパルスがレーザドライバ６３に供給されることで、記録が実行される。
【００７２】
また、例えばＡＶシステム１１０から、光記録媒体１００に記録されている或るデータの転送を求めるリードコマンドが供給された場合は、まず指示されたアドレスを目的としてシーク動作制御を行う。すなわち、サーボ回路６１に指令を出し、シークコマンドにより指定されたアドレスをターゲットとする光学ピックアップ５１のアクセス動作を実行させる。その後、その指示されたデータ区間のデータをＡＶシステム１１０に転送するために必要な動作制御を行う。すなわち、光記録媒体１００からのデータ読み出しを実行させ、リーダ／ライタ回路５５、変復調回路５６、ＥＣＣエンコーダ／デコーダ５７におけるデコード／バファリング等を実行させ、要求されたデータを転送する。
【００７３】
なお、これらのデータの記録再生時には、システムコントローラ６０は、ウォブル回路５８及びアドレスデコーダ５９によって検出されるアドレス情報を用いてアクセスや記録再生動作の制御を行うことができる。
【００７４】
図４では、システムコントローラ６０内のキャッシュメモリ６０ａを示している。キャッシュメモリ６０ａは、例えば光記録媒体１００のＴＤＭＡから読み出したＴＤＦＬ／スペースビットマップの保持や、その更新に利用される。
システムコントローラ６０は、例えば光記録媒体１００が装填された際に各部を制御してＴＤＭＡに記録されたＴＤＦＬ／スペースビットマップの読出を実行させ、読み出された情報をキャッシュメモリ６０ａに保持する。その後、データ書換や欠陥による交替処理が行われた際には、キャッシュメモリ６０ａ内のＴＤＦＬ／スペースビットマップを更新していく。例えば、データの書込や、データ書換等で交替処理が行われ、スペースビットマップ又はＴＤＦＬの更新を行う際に、その都度、光記録媒体１００のＴＤＭＡにおいてＴＤＦＬ又はスペースビットマップを追加記録しても良い。しかし、そのようにすると光記録媒体１００のＴＤＭＡの消費が早まってしまう。そこで、例えば光記録媒体がドライブ装置５０からイジェクトされるまでの間は、キャッシュメモリ６０ａ内でＴＤＦＬ／スペースビットマップの更新を行っておく。そしてイジェクト時などにおいて、キャッシュメモリ６０ａ内の最終的な（最新の）ＴＤＦＬ／スペースビットマップを、光記録媒体１００のＴＤＭＡに書き込むようにする。すると、多数回のＴＤＦＬ／スペースビットマップの更新がまとめられて光記録媒体１００上で更新されることになり、光記録媒体１００のＴＤＭＡの消費を低減することができる。なお、このような光記録媒体１００上のＴＤＭＡの更新手法は、ＴＤＦＬ／スペースビットマップに限らず、ＴＤＭＡにて更新を要する各種の情報についても同様に適用されるものである。
【００７５】
なお、図４の構成例は、ＡＶシステム１１０に接続されるドライブ装置５０の例としたが、ドライブ装置５０としては例えばパーソナルコンピュータ等と接続されるものとしてもよい。さらには、他の機器に接続されない形態もあり得る。その場合は、操作部や表示部が設けられたり、データ入出力のインターフェース部位の構成が、図４とは異なるものとなる。つまり、ユーザの操作に応じて記録や再生が行われるとともに、各種データの入出力のための端子部が形成されればよい。
【００７６】
［３．ＯＰＣエリアの設定例及び使用例］
続いて、ドライブ装置５０が行うＯＰＣエリアの設定について説明する。
本実施の形態において、ドライブ装置５０は、図３に示したように光記録媒体１００に対して予め定められたＯＰＣリザーブ領域を対象として、記録層ＬごとにＯＰＣエリアを設定する。ＯＰＣエリアの設定は、ブランク状態の光記録媒体１００に対して行われるものであり、つまりは、フォーマット処理に際して行われるものである。
本例では、図３に示したレイアウトを表す情報（以下「レイアウト情報」とも表記する）は、予めドライブ装置５０に記憶されており、ドライブ装置５０はブランク状態の光記録媒体１００が装填されたことに応じて、該レイアウト情報を読み出すことで、各記録層ＬにおけるＯＰＣリザーブ領域の所在位置を把握することが可能とされている。
【００７７】
本例のドライブ装置５０は、光記録媒体１００に適用されるファイルシステムの別に応じて、ＯＰＣエリアを設定し分ける。
ここで、光記録媒体１００に適用可能なファイルシステムとしては、以下の第１ファイルシステム、第２ファイルシステムが存在するものとする。
・第１ファイルシステム…何れの記録層Ｌに記録を行った場合にも最も奥側（レーザ入射面とは逆側）の記録層Ｌ０におけるインナーゾーンの管理情報の記録を要する仕様とされ、記録層Ｌ０のインナーゾーンにおけるＯＰＣエリア使用量が他の記録層Ｌに比して多くなる傾向のファイルシステム。
・第２ファイルシステム…記録が行われた記録層Ｌにおけるインナーゾーンの管理情報の記録を行う仕様とされ、各記録層ＬのインナーゾーンにおけるＯＰＣエリア使用量が略均等となる傾向のファイルシステム。
【００７８】
図５は、第１ファイルシステムが適用される場合におけるＯＰＣエリアの設定例、図６は第２ファイルシステムが適用される場合におけるＯＰＣエリアの設定例をそれぞれ示している。
なお、図５Ａ、図６Ａはインナーゾーン内におけるＯＰＣリザーブ領域に対するＯＰＣエリアの設定例であり、図５Ｂ、図６ＢはデータゾーンにおけるＯＳＡ内のＯＰＣリザーブ領域におけるＯＰＣエリアの設定例である。
以下では説明の便宜上、記録層Ｌ２における初期ＯＰＣエリアについては「♯９のＯＰＣエリア」とも表記する。
【００７９】
図５Ａに示すように、第１ファイルシステムが適用される場合、インナーゾーンでは、記録層Ｌ０については♯１〜♯３の３つのＯＰＣエリアを、記録層Ｌ１については♯４と♯５の２つのＯＰＣエリアを、記録層Ｌ２については♯６〜♯８の３つのＯＰＣエリアをそれぞれ設定している。
♯１〜♯３の各ＯＰＣエリア、及び♯４のＯＰＣエリア、及び♯７及♯８の各ＯＰＣエリアのサイズは略同等とされている。また、これらの各ＯＰＣエリアのサイズに対し、♯５及び♯６の各ＯＰＣエリアのサイズは半分以下程度のサイズとされている。
なお、本例では、設定するＯＰＣエリアのサイズは、フォーマット処理にあたって使用される初期ＯＰＣエリアのサイズと比較して大きくしている。
【００８０】
このような図５Ａに示すＯＰＣエリア設定により、各記録層Ｌに対するＯＰＣエリアの配分としては、記録層Ｌ０における配分が他の記録層Ｌ１、Ｌ２に対してより多くされる。すなわち、記録層Ｌ０のインナーゾーンにおけるＯＰＣエリア使用量が他の記録層Ｌに比して多くなる第１ファイルシステムに対応した配分としているものである。
【００８１】
各記録層Ｌにおける具体的なＯＰＣエリアの配置としては、先ず、記録層Ｌ０においては、プリライトエリアＰＷＡと初期ＯＰＣエリアとの間に配されたＯＰＣリザーブ領域を使い切るようにして、♯１、♯２、♯３のＯＰＣエリアが内周側から同順に設定されている。
また、記録層Ｌ１においては、初期ＯＰＣエリアとプリライトエリアとの間に配されたＯＰＣリザーブ領域を使い切るようにして♯４、♯５のＯＰＣエリアが内周側から同順に設定され、記録層Ｌ２においては、初期ＯＰＣエリアより内周側に配されたＯＰＣリザーブ領域内において、最内周部分に♯６のＯＰＣエリアが設定されると共に、初期ＯＰＣエリアの内周側に隣接する領域に対して、♯７、♯８のＯＰＣエリアが内周側から同順で設定されている。
【００８２】
ここで、上記のように設定される♯１〜♯８のＯＰＣエリアに関して、本例では、♯１、♯４、♯５、♯７、♯８のＯＰＣエリアは、層方向における手前側、奥側の記録層Ｌ（記録層Ｌ１における♯４、♯５のＯＰＣエリアについては手前側及び奥側双方の記録層Ｌ）におけるＯＰＣエリアの使用状況に関わらず使用する領域として規定されている。なお、♯９を含む初期ＯＰＣエリアとしても、層方向における手前側、奥側に重なるＯＰＣエリアの使用状況に関わらず使用する領域とされている。
このとき、記録層Ｌ１における♯４、♯５の使用順序は、♯４→♯５の順と規定されている。また、記録層Ｌ２における♯７、♯８の使用順序は、♯８→♯７の順と規定されている。なお、初期ＯＰＣエリアである♯９を含めれば、記録層Ｌ２における使用順序は♯９→♯８→♯７の順とされる。
【００８３】
記録層Ｌ０において、♯２、♯３のＯＰＣエリアは、層方向において手前側に重なるＯＰＣエリアが未使用であれば使用する領域として規定されている。具体的に、本例では、上記のように記録層Ｌ０の手前側に位置する記録層Ｌ２でＯＰＣエリアが♯８→♯７の順で使用されることが前提とされた場合において、♯３は、手前側の♯８が未使用であるとき（つまり♯８及び♯７の双方が未使用と同義）に使用する領域として規定され、♯２は、手前側の♯７が未使用であるときに使用する領域として規定されている。
これは、奥側のＯＰＣエリアを、手前側に重なるＯＰＣエリアが未使用の状態で使用されるようにすることで、手前側の透過率変化の影響でレーザパワー調整に失敗してしまうことが防止されるように図っているものである。
【００８４】
ここで、記録層Ｌを複数有する光記録媒体においては、偏芯により各記録層Ｌの間で位置ずれ（アドレスのずれ）が生じる場合がある点を考慮すべきである。以下、光記録媒体１００における、偏芯により生じると想定される各記録層Ｌ間の位置ずれ量を「位置ずれ量Ｔｒ」と表記する。
【００８５】
上記の位置ずれを考慮し、♯２、♯３、♯７、♯８の各ＯＰＣエリアの位置（アドレス）は以下のように設定されている。
具体的に、♯８については、内周側端部位置が♯２の外周側端部位置よりも位置ずれ量Ｔｒ以上外周側に離間した位置となるように配置位置を設定している。これにより、♯８が使用されても、♯２の手前側に透過率変化が生じないことを担保できる。
また、♯７については、内周側端部位置が♯１の外周側端部位置よりも位置ずれ量Ｔｒ以上外周側に離間した位置となるように配置位置を設定している。これにより、♯７が使用されても、♯１の手前側に透過率変化が生じないことを担保できる。
なお、♯９については、内周側端部位置が記録層Ｌ０における初期ＯＰＣエリアの外周側端部位置よりも位置ずれ量Ｔｒ以上外周側に離間した位置となるように配置位置を設定している。これは、記録層Ｌ０の初期ＯＰＣエリアが、手前側に配された♯９の初期ＯＰＣエリアでの透過率変化の影響を受けないように図っているものである。
【００８６】
また、本例では、記録層Ｌ２における♯６のＯＰＣエリアは、層方向において奥側に重なるＯＰＣエリアが使用済みであれば使用する領域として規定されている。具体的に、♯６は、奥側に配される♯４が使用済みであれば使用する領域として規定されている。
このとき、♯５のＯＰＣエリアが手前側に配される♯６のＯＰＣエリアでの透過率変化の影響を受けないために、♯５の内周側端部位置（♯４と♯５の境界位置）は、♯６の外周側端部位置よりも位置ずれ量Ｔｒ以上外周側に離間した位置となるようにしている。
【００８７】
また、ドライブ装置５０は、データゾーンにおけるＯＳＡのＯＰＣリザーブ領域に対しては、図５Ｂに示すように記録層ＬごとのＯＰＣエリアの設定を行う。
ここで、本例において、ＯＰＣリザーブ領域をデータゾーンのＯＳＡ（外周側の端部領域）に配し、該ＯＰＣリザーブ領域に対するＯＰＣエリアを設定するのは、記録特性の面内変動等を考慮しているものである。
また、データゾーンに配されたＯＰＣリザーブ領域に対しＯＰＣエリアを設定することで、データゾーン内での記録に適した記録条件を導出できる。特に、前述のようにデータゾーンにてインナーゾーンよりも高速又は高密度な記録を行う仕様とされる場合には、データゾーンにおける記録速度や記録密度に適した記録条件を導出すべきであるため、データゾーンにＯＰＣエリアを設定することが好適である。
【００８８】
ＯＳＡのＯＰＣリザーブ領域に対するＯＰＣエリア設定としては、図示のように記録層Ｌ０には♯１０及び♯１１のＯＰＣエリアを、記録層Ｌ１には♯１２及び♯１３のＯＰＣエリアを、記録層Ｌ２には♯１４のＯＰＣエリアをそれぞれ設定する。本例では、これらＯＳＡに設定する♯１０〜♯１４の各ＯＰＣエリアのサイズはほぼ同等とされている。
図示のように♯１１、♯１３、♯１４のＯＰＣエリアは、それぞれ該当する記録層ＬのＯＳＡにおける最外周部分に設定される。♯１２のＯＰＣエリアは、ＯＰＣエリア♯１３よりも内周側に位置するように設定され、♯１０のＯＰＣエリアは、♯１２のＯＰＣエリアよりもさらに内周側に位置するように設定される。
【００８９】
♯１０、♯１２、♯１４のＯＰＣエリアは、層方向における手前側、奥側の記録層Ｌ（記録層Ｌ１における♯１２については手前側及び奥側双方の記録層Ｌ）におけるＯＰＣエリアの使用状況に関わらず使用する領域として規定されている。
一方、♯１１、♯１３のＯＰＣエリアは、層方向における手前側に重なるＯＰＣエリアが未使用であれば使用する領域として規定されている。
ＯＳＡにおいても偏芯による位置ずれを考慮して、♯１２については、手前側の♯１４での透過率変化の影響を受けないように、その外周側端部位置が♯１４の内周側端部位置よりも内周側に位置するように配置位置が設定されている。また、♯１０については、手前側の♯１２での透過率変化の影響を受けないように、その外周側端部位置が♯１２の内周側端部位置よりも内周側に位置するように配置位置が設定されている。
【００９０】
続いて、図６に示す第２ファイルシステムが適用される場合におけるＯＰＣエリアの設定例としては、図５に示した設定例と比較して、インナーゾーンにおけるＯＰＣエリア♯３を非設定とする点が異なる。
このように記録層Ｌ０における♯３のＯＰＣエリアを非設定とすることで、各記録層Ｌに対するＯＰＣエリアの配分としては、図５の設定例と比較して均等化が図られる。すなわち、各記録層ＬにおけるＯＰＣエリア使用量が略均等な傾向となる第２ファイルシステムに好適なものである。
なお、データゾーンのＯＰＣリザーブ領域に対するＯＰＣエリア設定は第１ファイルシステムが適用される場合と同様である。
【００９１】
ここで、本例のドライブ装置５０は、上記のようなＯＰＣリザーブ領域を対象としたＯＰＣエリアの設定をフォーマット処理時において行う。ドライブ装置５０は、設定したＯＰＣエリアの所在位置を表す情報を、フォーマット処理において光記録媒体５０におけるＴＤＭＡ（例えばＴＤＭＡ内のＴＤＤＳ）に記録する。具体的に、ＯＰＣエリアの所在位置を表す情報としては、ＯＰＣエリアの開始アドレス、及びエリア長を表す情報を記録する。
また、ドライブ装置５０は、設定したＯＰＣエリアを使用した場合には、該ＯＰＣエリアにおいて次に使用可能なアドレスを表す情報（以下、便宜上「ＯＰＣ−ＮＷアドレス」と表記）もＴＤＭＡ（例えばＴＤＤＳ）に記録する。
【００９２】
また、本例のドライブ装置５０は、上記のようなフォーマット処理時におけるＯＰＣエリア設定のみでなく、必要に応じてＯＰＣエリアの追加設定を行う。
具体的に、本例においては、記録層Ｌごとに、インナーゾーン及びデータゾーンに設定したＯＰＣエリアの全てが使用可能でないと判定した場合に、該当する記録層Ｌにおけるデータゾーンを対象として、新たなＯＰＣエリアの設定を行う。具体的には、データゾーン内のユーザデータ領域を対象として、新たなＯＰＣエリアの設定を行う。
【００９３】
上記のようなデータゾーンを対象としたＯＰＣエリアの追加設定を行う場合には、手前側の記録層Ｌが存在する記録層Ｌ０、Ｌ１については、手前側の記録層Ｌが未記録であることを条件にＯＰＣエリアの追加設定を行う。具体的に、本例においては、ＯＰＣエリアの追加設定対象とする記録層Ｌにおけるユーザデータ領域のうち、手前側の記録層Ｌが未記録とされている未記録領域を対象としてＯＰＣエリアの追加設定を行う。
手前側の記録層Ｌが未記録である未記録領域が存在しない場合には、ユーザデータ領域内でのＯＰＣエリアの追加設定は行わない。
【００９４】
また、奥側の記録層Ｌが存在する記録層Ｌ１、Ｌ２については、奥側の記録層Ｌが記録済みである領域を優先してＯＰＣエリアの追加設定を行う。具体的には、ＯＰＣエリアの追加設定対象とする記録層Ｌにおけるユーザデータ領域のうち、奥側の記録層Ｌが記録済みとされている未記録領域を優先してＯＰＣエリアの追加設定を行う。
【００９５】
ここで、記録層Ｌ１については、手前側及び奥側双方の記録層Ｌにおける記録／未記録状態を考慮したＯＰＣエリアの追加設定を行う。具体的に、記録層Ｌ１については、ユーザデータ領域のうち、手前側の記録層Ｌ２が未記録で且つ奥側の記録層Ｌ０が記録済みとされている未記録領域を最優先としてＯＰＣエリアの追加設定を行い、該当する領域が存在しない場合には、手前側の記録層Ｌ２が未記録とされている未記録領域を対象としてＯＰＣエリアを追加設定する。
【００９６】
上記のようにＯＰＣエリアを追加設定した場合も、ドライブ装置５０は、該追加設定したＯＰＣエリアの所在位置を表す情報、及び該ＯＰＣエリアを使用した場合には該ＯＰＣエリアにおいて次に使用可能なアドレスを表す情報をＴＤＭＡ（例えばＴＤＤＳ）に記録する。なお、この場合の記録のタイミングは、例えば光記録媒体１００がイジェクトされるタイミング等、光記録媒体１００における管理／制御情報の更新頻度が抑えられるように設定されることが望ましい。
【００９７】
なお、上記では、設定したＯＰＣエリアの所在位置を表す情報（及び次に使用可能なアドレスの情報）をＴＤＭＡに記録する場合を例示したが、これらの情報は、光記録媒体１００に対して他のドライブ装置５０が再生・取得可能に記録されればよいものであり、具体的な記録態様については特に限定されるものではない。
【００９８】
［４．処理手順］
図７〜図１３のフローチャートを参照して、上記により説明した実施の形態としてのＯＰＣエリア設定例及び使用例を実現するための処理について説明する。
なお、図７〜図１３に示す処理は、ドライブ装置５０におけるシステムコントローラ６０が、例えばシステムコントローラ６０に備えられたＲＯＭ（Read Only Memory）等の所定の記憶装置に記憶されたプログラムに従って実行する。
【００９９】
図７は、ＯＰＣエリアの設定に係る処理を示している。
なお、図７に示す処理は、ドライブ装置５０に対してブランク状態（未フォーマット状態）の光記録媒体１００が装填されたと判定された場合に実行される処理である。
図７において、システムコントローラ６０は、装填された光記録媒体１００についてのゾーンレイアウトを確認し、初期ＯＰＣエリアの位置を把握する。前述のようにドライブ装置５０は光記録媒体１００のゾーンレイアウトを表すレイアウト情報を記憶しており、システムコントローラ６０は該レイアウト情報に基づき、初期ＯＰＣエリアの位置を把握する。
【０１００】
続くステップＳ１０２でシステムコントローラ６０は、初期ＯＰＣ処理を行う。すなわち、サーボ回路６１、スピンドルサーボ回路６２に指示して、光学ピックアップ５１を初期ＯＰＣエリアにアクセスさせる。また、リーダ／ライタ回路５５からＯＰＣテストパターンとしての信号をレーザドライバ６３に供給させ、ＯＰＣエリアへのテスト記録を実行させる。さらに記録したＯＰＣエリアを再生させ、再生情報信号についての評価値、例えばジッター、アシンメトリ、エラーレート等を得て、最適な記録レーザパワーを判定する。そしてレーザパワーを最適パワーに設定する。
【０１０１】
次に、システムコントローラ６０はステップＳ１０３で、光記録媒体１００に適用されるファイルシステムの別を判定する。すなわち、本例では第１ファイルシステム、第２ファイルシステムの別を判定する。なお、光記録媒体１００に適用されるファイルシステムの別は、例えばＡＶシステム１１０より通知される。
【０１０２】
ファイルシステムが第１ファイルシステムである場合、システムコントローラ６０はステップＳ１０４で第１フォーマット処理を実行して図７に示す処理を終え、ファイルシステムが第２ファイルシステムである場合、システムコントローラ６０はステップＳ１０５で第２フォーマット処理を実行して図７に示す処理を終える。
ステップＳ１０４の第１フォーマット処理としては、少なくとも図２に示したデータゾーンの開始アドレスＡＤdts、終了アドレスＡＤdte、ユーザデータ領域の開始アドレスＡＤus、終了アドレスＡＤueの各情報と共に、図５Ａ及び図５Ｂで説明した配置形態によりそれぞれ設定した各ＯＰＣエリアの所在位置を表す情報を光記録媒体１００のＴＤＭＡに記録させる処理を行う。
また、ステップＳ１０５の第２フォーマット処理としては、少なくともデータゾーンの開始アドレスＡＤdts、終了アドレスＡＤdte、ユーザデータ領域の開始アドレスＡＤus、終了アドレスＡＤueの各情報と共に、図６Ａ及び図６Ｂで説明した配置形態によりそれぞれ設定した各ＯＰＣエリアの所在位置を表す情報を光記録媒体１００のＴＤＭＡに記録させる処理を行う。
なお、本例のフォーマット処理時には、初期ＯＰＣエリアについての所在位置情報、例えば、少なくとも♯９の初期ＯＰＣエリアの所在位置情報もＴＤＭＡに記録させる。
【０１０３】
図８は、設定したＯＰＣエリアの使用に係る処理を示している。
図８において、システムコントローラ６０は、ステップＳ２０１でＯＰＣ処理（フォーマット処理時の初期ＯＰＣ処理は除く）を開始すべき状態となるまで待機し、ＯＰＣ処理を開始すべき状態となったら、ステップＳ２０２でＯＰＣ処理の実行対象である記録層Ｌ（対象層）の別を判定する。
システムコントローラ６０は、対象層が記録層Ｌ０であればステップＳ２０３のＬ０対応処理を、対象層が記録層Ｌ１であればステップＳ２０４のＬ１対応処理を、対象層が記録層Ｌ２であればステップＳ２０５のＬ２対応処理を実行し、図８に示す処理を終える。
【０１０４】
なお、以下ではこれらＬ０対応処理（Ｓ２０３）、Ｌ１対応処理（Ｓ２０４）、Ｌ２対応処理（Ｓ２０５）について説明するが、Ｌ０対応処理については、第１ファイルシステムが適用された光記録媒体１００に対応した処理を例示し、第２ファイルシステムが適用された光記録媒体１００に対応した処理については後述する。
【０１０５】
図９及び図１０は、ステップＳ２０３のＬ０対応処理を示している。
図９において、システムコントローラ６０はステップＳ３０１で、対象ゾーンはデータゾーンであるか否かを判定する。すなわち、ＯＰＣ処理の実行対象であるゾーンが記録層Ｌ０におけるデータゾーンであるか否かを判定する。
対象ゾーンがデータゾーンであれば、システムコントローラ６０は図１０に示すステップＳ３１０に処理を進める。なお、図１０の処理については後述する。
【０１０６】
対象ゾーンがデータゾーンでなければ、システムコントローラ６０はステップＳ３０２に進み、♯８のＯＰＣエリアが未使用であるか否かを判定する。
【０１０７】
この際、対象とするＯＰＣエリアが未使用であるか否かは、光記録媒体１００に記録されたＯＰＣエリアの所在位置を表す情報に基づいて判定する。例えば、本例では、ＴＤＭＡに記録されたＯＰＣエリアの開始アドレス、及びＯＰＣ−ＮＷアドレスの情報に基づき、対象とするＯＰＣエリア（ステップＳ３０２では♯８）が未使用であるか否かを判定する。具体的には、対象とするＯＰＣエリアについて、開始アドレスとＯＰＣ−ＮＷアドレスとが一致しているか否かの判定を、未使用であるか否かの判定として行う。
【０１０８】
ここで、上記のようなＯＰＣエリアの開始アドレス及びＯＰＣ−ＮＷアドレスの情報を含む、光記録媒体１００のＴＤＭＡに記録された情報は、該光記録媒体１００が装填されたことに応じて開始されるスタートアップ処理時等において、システムコントローラ６０が予め再生動作を実行させ、例えばキャッシュメモリ６０ａにキャッシュ（保持）させているものである。すなわち、システムコントローラ６０は、このようにキャッシュメモリ６０ａに保持されたＯＰＣエリアの開始アドレス及びＯＰＣ−ＮＷアドレスの情報を取得して、上記の判定を行う。
【０１０９】
ステップＳ３０２において、♯８が未使用であると判定した場合、システムコントローラ６０はステップＳ３０３に進み、♯３のＯＰＣエリアが使用可能であるか否かを判定する。換言すれば、♯３のＯＰＣエリアにＯＰＣ処理で使用予定の領域サイズ以上の空きがあるか否かを判定する。本例では、対象とするＯＰＣエリアが使用可能であるか否かの判定は、該対象とするＯＰＣエリアの開始アドレス、エリア長、及びＯＰＣ−ＮＷアドレスの情報に基づき判定する。具体的には、これらの情報に基づき求まる該ＯＰＣエリアの未使用領域のサイズが、ＯＰＣ処理で使用予定の領域サイズ以上であるか否かの判定を、該ＯＰＣエリアが使用可能であるか否かの判定として行う。
【０１１０】
ステップＳ３０３において、♯３が使用可能であると判定した場合、システムコントローラ６０はステップＳ３０４で、使用対象のＯＰＣエリアとして♯３のＯＰＣエリアを選択した上で、ステップＳ３１５に進んで選択したエリアにてＯＰＣ処理を実行し、ステップＳ２０３のＬ０対応処理を終える。
なお、ＯＰＣ処理では、光学ピックアップ５１を選択したＯＰＣエリアにアクセスさせ、ＯＰＣテストパターンとしての信号をレーザドライバ６３に供給させて該ＯＰＣエリアへのテスト記録を実行させた後、記録したＯＰＣエリアを再生させ、再生情報信号についての評価値を得て、最適な記録レーザパワーを判定する。そして、レーザパワーを最適パワーに設定する。
【０１１１】
上記のステップＳ３０２〜Ｓ３０４→Ｓ３１５の処理の流れにより、記録層Ｌ０における♯３は、層方向の手前側に重なる♯８が未使用である場合に使用される。
【０１１２】
続いて、ステップＳ３０２で♯８のＯＰＣエリアが未使用でないと判定した場合、またステップＳ３０３で♯３が使用可能でないと判定した場合のそれぞれにおいて、システムコントローラ６０はステップＳ３０５に進み、♯７が未使用であるか否かを判定する。
♯７のＯＰＣエリアが未使用であれば、システムコントローラ６０はステップＳ３０６に進み、♯２のＯＰＣエリアが使用可能か否かを判定する。♯２のＯＰＣエリアが使用可能であれば、システムコントローラ６０はステップＳ３０７に進んで使用対象のＯＰＣエリアとして♯２のＯＰＣエリアを選択した上で、ステップＳ３１５に進んで選択したエリアにてＯＰＣ処理を実行し、ステップＳ２０３のＬ０対応処理を終える。
これにより、記録層Ｌ０における♯２は、層方向の手前側に重なる♯７が未使用である場合に使用される。
【０１１３】
ステップＳ３０５で♯７のＯＰＣエリアが未使用でないと判定した場合、またステップＳ３０６で♯２が使用可能でないと判定した場合のそれぞれにおいて、システムコントローラ６０はステップＳ３０８に進み、♯１が使用可能であるか否かを判定する。♯１のＯＰＣエリアが使用可能であれば、システムコントローラ６０はステップＳ３０９に進んで使用対象のＯＰＣエリアとして♯１のＯＰＣエリアを選択した上で、ステップＳ３１５に進んで選択したエリアにてＯＰＣ処理を実行し、ステップＳ２０３のＬ０対応処理を終える。
【０１１４】
一方、ステップＳ３０８において、♯１が使用可能でないと判定した場合、システムコントローラ６０は図１０に示すステップＳ３１０に処理を進める。
【０１１５】
システムコントローラ６０は、図１０に示すステップＳ３１０において、データゾーンのＯＳＡに設定された♯１３及び♯１４のＯＰＣエリアが未使用であるか否かを判定する。♯１３及び♯１４のＯＰＣエリアが未使用であれば、システムコントローラ６０はステップＳ３１１に進み、記録層Ｌ０における♯１１のＯＰＣエリアが使用可能か否かを判定する。♯１１のＯＰＣエリアが使用可能であれば、システムコントローラ６０はステップＳ３１２に進んで使用対象のＯＰＣエリアとして♯１１のＯＰＣエリアを選択した上で、図９で説明したステップＳ３１５に進んで選択したエリアにてＯＰＣ処理を実行し、ステップＳ２０３のＬ０対応処理を終える。
これにより、記録層Ｌ０における♯１１は、層方向の手前側に重なる♯１３及び♯１４が未使用である場合に使用される。
【０１１６】
ステップＳ３１０で♯１３及び♯１４のＯＰＣエリアが未使用でないと判定した場合、またステップＳ３１１で♯１１が使用可能でないと判定した場合のそれぞれにおいて、システムコントローラ６０はステップＳ３１３に進み、♯１０が使用可能であるか否かを判定する。♯１０のＯＰＣエリアが使用可能であれば、システムコントローラ６０はステップＳ３１４に進んで使用対象のＯＰＣエリアとして♯１０のＯＰＣエリアを選択した上で、図９のステップＳ３１５に進んで選択したエリアにてＯＰＣ処理を実行し、ステップＳ２０３のＬ０対応処理を終える。
【０１１７】
また、ステップＳ３１３において、♯１０のＯＰＣエリアが使用可能でないと判定した場合、すなわち、対象層におけるデータゾーン（ＯＳＡ）に設定されたＯＰＣエリアの全てが使用可能でないと判定された場合、システムコントローラ６０はステップＳ３１６に進み、ユーザデータ領域へのＯＰＣエリア追加処理を実行し、ステップＳ２０３のＬ０対応処理を終える。
なお、ユーザデータ領域へのＯＰＣエリア追加処理については後述する。
【０１１８】
ここで、上記ではステップＳ２０３のＬ０対応処理として、第１ファイルシステムが適用された光記録媒体１００に対応する処理を説明したが、第１ファイルシステムが適用された光記録媒体１００に対しては、上記した処理のうち、図９に示すステップＳ３０２〜Ｓ３０４の処理（つまり♯３のＯＰＣエリアに係る処理）を除いた処理を実行する。
図示は省略したが、システムコントローラ６０は、ステップＳ２０３のＬ０対応処理を実行するにあたっては、光記録媒体１００に適用されたファイルシステムの別を判定し、判定結果に応じて図９及び図１０に示した処理、又は図９及び図１０に示した処理のうちステップＳ３０２〜Ｓ３０４の処理を除いた処理の何れか対応する方を実行する。
【０１１９】
続いて、図１１によりステップＳ２０４のＬ１対応処理について説明する。
図１１において、システムコントローラ６０はステップＳ４０１で、対象ゾーンはデータゾーンであるか否かを判定し、対象ゾーンがデータゾーンであれば後述するステップＳ４０６に処理を進める。
【０１２０】
対象ゾーンがデータゾーンでなければ、システムコントローラ６０はステップＳ４０２に進み、♯４のＯＰＣエリアが使用可能か否かを判定する。♯４のＯＰＣエリアが使用可能であれば、システムコントローラ６０はステップＳ４０３で、使用対象のＯＰＣエリアとして♯４のＯＰＣエリアを選択した上で、ステップＳ４１１に進んで選択したエリアにてＯＰＣ処理を実行し、ステップＳ２０４のＬ１対応処理を終える。
【０１２１】
また、ステップＳ４０２で♯４のＯＰＣエリアが使用可能でないと判定した場合、システムコントローラ６０はステップＳ４０４に進み、♯５のＯＰＣエリアが使用可能か否かを判定する。♯５のＯＰＣエリアが使用可能であれば、システムコントローラ６０はステップＳ４０５に進んで使用対象のＯＰＣエリアとして♯５のＯＰＣエリアを選択した上で、ステップＳ４１１に進んで選択したエリアにてＯＰＣ処理を実行し、ステップＳ２０４のＬ１対応処理を終える。
【０１２２】
ステップＳ４０４において、♯５のＯＰＣエリアが使用可能でないと判定した場合、システムコントローラ６０はステップＳ４０６に処理を進める。
ステップＳ４０６でシステムコントローラ６０は、データゾーンのＯＳＡに設定された♯１４のＯＰＣエリアが未使用であるか否かを判定する。♯１４のＯＰＣエリアが未使用であれば、システムコントローラ６０はステップＳ４０７に進み、記録層Ｌ１における♯１３のＯＰＣエリアが使用可能か否かを判定する。♯１３のＯＰＣエリアが使用可能であれば、システムコントローラ６０はステップＳ４０８に進んで使用対象のＯＰＣエリアとして♯１３のＯＰＣエリアを選択した上で、ステップＳ４１１に進んで選択したエリアにてＯＰＣ処理を実行し、ステップＳ２０４のＬ１対応処理を終える。
これにより、記録層Ｌ１における♯１３は、層方向の手前側に重なる♯１４が未使用である場合に使用される。
【０１２３】
一方、ステップＳ４０６で♯１４のＯＰＣエリアが未使用でないと判定した場合、システムコントローラ６０はステップＳ４０９に進み、♯１２が使用可能であるか否かを判定する。♯１２のＯＰＣエリアが使用可能であれば、システムコントローラ６０はステップＳ４１０に進んで使用対象のＯＰＣエリアとして♯１２のＯＰＣエリアを選択した上で、ステップＳ４１１に進んで選択したエリアにてＯＰＣ処理を実行し、ステップＳ２０４のＬ１対応処理を終える。
【０１２４】
また、ステップＳ４０９において、♯１２のＯＰＣエリアが使用可能でないと判定した場合、すなわち、対象層におけるデータゾーン（ＯＳＡ）に設定されたＯＰＣエリアの全てが使用可能でないと判定された場合、システムコントローラ６０はステップＳ４１２に進み、ユーザデータ領域へのＯＰＣエリア追加処理を実行し、ステップＳ２０４のＬ１対応処理を終える。
【０１２５】
図１２によりステップＳ２０５のＬ２対応処理について説明する。
図１２において、システムコントローラ６０はステップＳ５０１で、対象ゾーンはデータゾーンであるか否かを判定し、対象ゾーンがデータゾーンであれば後述するステップＳ５１１に処理を進める。
【０１２６】
対象ゾーンがデータゾーンでなければ、システムコントローラ６０はステップＳ５０２に進み、♯４のＯＰＣエリアが使用済みか否かを判定する。すなわち、例えばＯＰＣ処理で使用予定の領域サイズ以上の空きがないか否か等、対象とするＯＰＣエリアが使い切られたとみなされる状態となっているか否かを判定する。
♯４のＯＰＣエリアが使用済みであれば、システムコントローラ６０はステップＳ５０３に進み、♯６が使用可能であるか否かを判定する。♯６のＯＰＣエリアが使用可能であれば、システムコントローラ６０はステップＳ５０４に進んで使用対象のＯＰＣエリアとして♯６のＯＰＣエリアを選択した上で、ステップＳ５１３に進んで選択したエリアにてＯＰＣ処理を実行し、ステップＳ２０５のＬ２対応処理を終える。
これにより、記録層Ｌ２における♯６のＯＰＣエリアは、奥側に重なる♯４のＯＰＣエリアが使用済みとされた場合に使用される。
【０１２７】
一方、ステップＳ５０２で♯４のＯＰＣエリアが使用済みでないと判定した場合、システムコントローラ６０はステップＳ５０５に進み、♯９のＯＰＣエリアが使用可能か否かを判定する。♯９のＯＰＣエリアが使用可能であれば、システムコントローラ６０はステップＳ５０６に進んで使用対象のＯＰＣエリアとして♯９のＯＰＣエリアを選択した上で、ステップＳ５１３に進んで選択したエリアにてＯＰＣ処理を実行し、ステップＳ２０５のＬ２対応処理を終える。
【０１２８】
また、ステップＳ５０５において、♯９のＯＰＣエリアが使用可能でないと判定した場合、システムコントローラ６０はステップＳ５０７に進み、♯８のＯＰＣエリアが使用可能か否かを判定する。♯８のＯＰＣエリアが使用可能であれば、システムコントローラ６０はステップＳ５０８に進んで使用対象のＯＰＣエリアとして♯８のＯＰＣエリアを選択した上で、ステップＳ５１３に進んで選択したエリアにてＯＰＣ処理を実行し、ステップＳ２０５のＬ２対応処理を終える。
さらに、ステップＳ５０７において♯８のＯＰＣエリアが使用可能でないと判定した場合、システムコントローラ６０はステップＳ５０９に進み、♯７のＯＰＣエリアが使用可能か否かを判定する。♯７のＯＰＣエリアが使用可能であれば、システムコントローラ６０はステップＳ５１０に進んで使用対象のＯＰＣエリアとして♯７のＯＰＣエリアを選択した上で、ステップＳ５１３に進んで選択したエリアにてＯＰＣ処理を実行し、ステップＳ２０５のＬ２対応処理を終える。
【０１２９】
ステップＳ５０９において、♯７のＯＰＣエリアが使用可能でないと判定した場合、システムコントローラ６０はステップＳ５１１に処理を進める。
ステップＳ５１１でシステムコントローラ６０は、データゾーンのＯＳＡに設定された♯１４のＯＰＣエリアが使用可能であるか否かを判定する。♯１４のＯＰＣエリアが使用可能であれば、システムコントローラ６０はステップＳ５１２に進んで使用対象のＯＰＣエリアとして♯１４のＯＰＣエリアを選択した上で、ステップＳ５１３に進んで選択したエリアにてＯＰＣ処理を実行し、ステップＳ２０５のＬ２対応処理を終える。
【０１３０】
ステップＳ５１１において、♯１４のＯＰＣエリアが使用可能でないと判定した場合、すなわち、対象層におけるデータゾーン（ＯＳＡ）に設定されたＯＰＣエリアの全てが使用可能でないと判定された場合、システムコントローラ６０はステップＳ５１４に進み、ユーザデータ領域へのＯＰＣエリア追加処理を実行し、ステップＳ２０５のＬ２対応処理を終える。
【０１３１】
図１３により、ユーザデータ領域へのＯＰＣエリア追加処理（Ｓ３１６、Ｓ４１２、Ｓ５１４）を説明する。
図１３において、システムコントローラ６０はステップＳ６０１で、対象層は記録層Ｌ１か否かを判定し、対象層は記録層Ｌ１でなければステップＳ６０２に進んで対象層は記録層Ｌ０か否かを判定する。
【０１３２】
対象層が記録層Ｌ０であれば、システムコントローラ６０はステップＳ６０３に進み、対象層（記録層Ｌ０）のユーザデータ領域における未記録領域のうち、手前側の記録層Ｌ（つまり記録層Ｌ１及び記録層Ｌ２）が未記録の領域があるか否かを判定する。
記録層Ｌ０のユーザデータ領域における未記録領域のうち手前側の記録層Ｌが未記録の領域があれば、システムコントローラ６０はステップＳ６０４に進み、該当する領域内にＯＰＣエリアを設定した上で、ステップＳ６１２に進んで設定したエリアにてＯＰＣ処理を実行し、図１３に示す処理を終える。
【０１３３】
一方、ステップＳ６０３において該当する領域がないと判定した場合、システムコントローラ６０はステップＳ６１３に進んでＯＰＣ＿ＮＧ処理を実行し、図１３に示す処理を終える。ＯＰＣ＿ＮＧ処理としては、ＯＰＣエリアの追加が不能であることに対応して、少なくとも対象層への記録を禁止とするための禁止設定を行う。
【０１３４】
また、先のステップＳ６０２において、対象層が記録層Ｌ０でない（つまり対象層が記録層Ｌ２である）と判定された場合、システムコントローラ６０はステップＳ６０５に進み、対象層（記録層Ｌ２）のユーザデータ領域における未記録領域のうち、奥側の記録層Ｌが記録済みとなっている領域があるか否かを判定する。具体的には、例えば奥側の記録層Ｌ１、Ｌ０の双方が記録済みとなっている領域があるか否かを判定する。
【０１３５】
記録層Ｌ２のユーザデータ領域における未記録領域のうち奥側の記録層Ｌが記録済みとなっている領域があれば、システムコントローラ６０はステップＳ６０６に進み、該当する領域内にＯＰＣエリアを設定した上で、ステップＳ６１２に進んで設定したエリアにてＯＰＣ処理を実行し、図１３に示す処理を終える。
【０１３６】
一方、記録層Ｌ２のユーザデータ領域における未記録領域のうち奥側の記録層Ｌが記録済みとなっている領域がなければ、システムコントローラ６０はステップＳ６０７に進み、対象層（記録層Ｌ２）のユーザデータ領域における未記録領域内にＯＰＣエリアを設定した上で、ステップＳ６１２に進んで設定したエリアにてＯＰＣ処理を実行し、図１３に示す処理を終える。
【０１３７】
なお、記録層Ｌ２のように奥側の記録層Ｌが複数存在する記録層Ｌが対象層とされた場合におけるＯＰＣエリアの追加設定に関しては、少なくとも奥側における一つの記録層Ｌが記録済みとなっている領域があれば該領域に対してＯＰＣエリアを設定してもよい。また、奥側が記録済みとなっている記録層Ｌの数がより多い領域を優先してＯＰＣエリアの追加設定を行うこともできる。
【０１３８】
続いて、先のステップＳ６０１において、対象層が記録層Ｌ１と判定された場合、システムコントローラ６０はステップＳ６０８に進み、対象層のユーザデータ領域における未記録領域のうち、手前側の記録層Ｌ（つまり記録層Ｌ２）が未記録の領域があるか否かを判定する。
ステップＳ６０８において、記録層Ｌ１のユーザデータ領域における未記録領域のうち手前側の記録層Ｌが未記録の領域がなければ、システムコントローラ６０はステップＳ６１３のＯＰＣ＿ＮＧ処理を実行し、図１３に示す処理を終える。
【０１３９】
一方、ステップＳ６０８において、記録層Ｌ１のユーザデータ領域における未記録領域のうち手前側の記録層Ｌが未記録の領域があれば、システムコントローラ６０はステップＳ６０９に進み、該当する領域のうち、奥側の記録層Ｌ（記録層Ｌ０）が記録済みとなっている領域があるか否かを判定する。
ステップＳ６０９において、該当する領域（つまり記録層Ｌ１のユーザデータ領域における未記録領域のうち手前側の記録層Ｌ２が未記録で且つ奥側の記録層Ｌ０が記録済みである領域）があれば、システムコントローラ６０はステップＳ６１０に進み、該当する領域内にＯＰＣエリアを設定した上で、ステップＳ６１２に進んで設定したエリアにてＯＰＣ処理を実行し、図１３に示す処理を終える。
【０１４０】
一方、ステップＳ６０９において、該当する領域がなければ、システムコントローラ６０はステップＳ６１１に進み、対象層（記録層Ｌ１）のユーザデータ領域における未記録領域のうち手前側の記録層Ｌ２が未記録の領域内にＯＰＣエリアを設定した上で、ステップＳ６１２に進んで設定したエリアにてＯＰＣ処理を実行し、図１３に示す処理を終える。
【０１４１】
なお、ＯＰＣエリアの追加設定にあたり、追加設定の対象領域（本例ではユーザデータ領域）にＯＰＣエリアを追加可能な未記録領域が存在しない場合には、対象層に対するＯＰＣエリアの追加設定を行わない。このとき、ＯＰＣエリアの追加設定が不能なため、少なくとも対象層への記録を禁止とするための禁止設定が行われる得る。
【０１４２】
また、先の説明から理解されるように、ＯＰＣエリアを追加設定した場合も、システムコントローラ６０は、設定したＯＰＣエリアの所在位置を表す情報（使用した場合にはＯＰＣ−ＮＷアドレスの情報も）を光記録媒体１００に記録させる処理を実行する。
【０１４３】
［５．実施の形態のまとめ］
上記のように実施の形態の記録装置（ドライブ装置５０）は、記録層を複数有する光記録媒体（光記録媒体１００）の記録層に対してレーザ光照射を行って情報の記録を行う記録部（光学ピックアップ５１、リーダ／ライタ回路５５、変復調回路５６、ＥＣＣエンコーダ／デコーダ５７等）と、レーザパワー制御のための試し書きを行うテストエリア（ＯＰＣエリア）を記録層ごとに設定し、設定したテストエリアの所在位置を表す情報を記録部により光記録媒体に記録させる制御部（システムコントローラ６０）と、を備えている。
【０１４４】
これにより、テストエリアの所在位置を他装置（テストエリア設定を行った以外の装置）が認識可能であることを担保しつつ、テストエリアを任意の位置及び分量により配置することが可能とされる。すなわち、記録層ごとのテストエリアの使用量が異なるケースが生じ得る光記録媒体について、ケースごとに適応的にテストエリアの設定を行うことが可能となるものである。
従って、テストエリアの不足によりデータの記録が不可とされてしまう事態が発生する可能性の低減を図ることができる。
【０１４５】
また、実施の形態の記録装置においては、制御部は、光記録媒体に適用されるファイルシステムの別に応じてテストエリアを設定し分けている。
【０１４６】
これにより、ファイルシステムの別により記録層ごとのテストエリアの使用量が異なり得る場合に対応して、ファイルシステムに応じて適応的にテストエリアを設定し分けることが可能とされる。
従って、テストエリアの不足によりデータの記録が不可とされてしまう事態が発生する可能性の低減を図ることができる。
【０１４７】
さらに、実施の形態の記録装置においては、制御部は、設定したテストエリアのうち使用候補としたテストエリアである使用候補エリアについて、該使用候補エリアを使用するか否かの判定を、該使用候補エリアに対して光記録媒体の層方向におけるレーザ入射面（１００ａ）とは逆側に重なっている奥側のテストエリアの使用状況に基づいて行っている。
【０１４８】
これにより、奥側のテストエリアが使用済みとなったことを確認した上で手前側のテストエリアを使用することが可能とされる。
従って、奥側のテストエリアを確実に使用することができるため、テストエリアの無駄（先に手前側が使用されたことによる透過率変化により奥側が使用不可となることによる無駄）を無くすことができる。
【０１４９】
さらにまた、実施の形態の記録装置においては、制御部は、設定したテストエリアのうち使用候補としたテストエリアである使用候補エリアについて、該使用候補エリアを使用するか否かの判定を、該使用候補エリアに対して光記録媒体の層方向におけるレーザ入射面側に重なっている手前側のテストエリアの使用状況に基づいて行っている。
【０１５０】
これにより、手前側のテストエリアで透過率変化が生じていないことを確認した上で奥側のテストエリアを使用することが可能とされる。
従って、レーザパワー調整を適切に行うことができる。
【０１５１】
また、実施の形態の記録装置においては、制御部は、テストエリアの設定を、ユーザデータを記録するデータゾーンよりも内周側のインナーゾーンとデータゾーンとを対象として行っている。
【０１５２】
これにより、インナーゾーンのみにテストエリアを設定する場合よりもテストエリアを増やすことができる。また、データゾーンにおいてインナーゾーンよりも高速又は高密度な記録を行う場合等、インナーゾーンとデータゾーンとでレーザパワー調整をし分けることが望ましい場合に対応できる。
【０１５３】
さらに、実施の形態の記録装置においては、制御部は、光記録媒体に所在位置を表す情報が記録されているテストエリア以外の新たなテストエリアをデータゾーンに対して設定し、該設定したテストエリアの所在位置を表す情報を記録部により光記録媒体に記録させている。
【０１５４】
これにより、ユーザデータを記録する領域に対してテストエリアを必要に応じて追加することが可能とされる。
従って、テストエリアの不足により光記録媒体が記録不可とされてしまう事態が発生する可能性のさらなる低減を図ることができる。
【０１５５】
さらにまた、実施の形態の記録装置においては、制御部は、データゾーンに対してテストエリアを設定する場合は、設定対象とする記録層よりもレーザ入射面側にある手前側の記録層が未記録である領域に対してテストエリアを設定している。
【０１５６】
これにより、手前側に透過率変化が生じていない領域に対してテストエリアを追加することが可能とされる。
従って、設定したテストエリアにおいてレーザパワー調整に失敗する可能性を低減することができる。
【０１５７】
また、実施の形態の記録装置においては、制御部は、データゾーンに対してテストエリアを設定する場合は、設定対象とする記録層よりもレーザ入射面の逆側にある奥側の記録層が記録済みである領域に対してテストエリアを設定している。
【０１５８】
上記のように奥側が記録済みであることを条件とすることで、設定したテストエリアでレーザパワー調整を行った場合に、奥側の記録層が未記録の状態で記録不可状態とされてしまうことが回避される。
従って、記録容量の浪費防止を図ることができる。
【０１５９】
また、実施の形態の光記録媒体（光記録媒体１００）は、記録層を複数有し、レーザパワー制御のための試し書きを行うテストエリアが記録層ごとに設定され、設定されたテストエリアの所在位置を表す情報が記録されるものである。
【０１６０】
これにより、テストエリアの所在位置を他装置（テストエリア設定を行った以外の装置）が認識可能であることを担保しつつ、テストエリアを任意の位置及び分量により配置することが可能な光記録媒体を実現することができる。
【０１６１】
また、実施の形態の再生装置（ドライブ装置５０）は、記録層を複数有し、レーザパワー制御のための試し書きを行うテストエリアが記録層ごとに設定され、設定されたテストエリアの所在位置を表す情報が記録される光記録媒体（光記録媒体１００）について、レーザ光照射を行って記録情報を再生する再生部（光学ピックアップ５１、リーダ／ライタ回路５５、変復調回路５６、ＥＣＣエンコーダ／デコーダ５７等）と、再生部により光記録媒体の記録情報を再生させ、テストエリアの所在位置を表す情報を取得する制御部（システムコントローラ６０）と、を備えている。
【０１６２】
これにより、テストエリアについての互換性を担保することができる。
【０１６３】
［６．変形例］
以上、本技術に係る実施の形態について説明してきたが、本技術は上記の例に限定されるものではなく、要旨の範囲内で各種変形例が考えられる。
例えば、上記では、光記録媒体１００のグルーブに対してデータ記録が行われる場合を前提としたが、本技術は、グルーブとグルーブの間のランドにデータを記録するランド記録方式の光記録媒体に適用することもできる。或いは、グルーブ及びランドにデータを記録するランドグルーブ記録方式の光記録媒体に適用することもできる。
【０１６４】
図１４は、ランドグルーブ記録方式が採用される場合におけるＯＰＣエリアの設定例を示している。
図１４に示す設定例では、先の図５Ａの設定例において♯を付した各ＯＰＣエリアの設定領域内に対し、それぞれグルーブ側のＯＰＣエリア（末尾に「Ｇ」）とランド側のＯＰＣエリア（末尾に「Ｌ」）とを設定している。
ランドグルーブ記録方式では、隣接するグルーブ／ランド間で互いにレーザパワー調整（試し書き）の影響を受け易い。このため、♯１〜♯８の各ＯＰＣエリア内では、図示のようにグルーブ側のＯＰＣエリアとランド側のＯＰＣエリアとを隣接させないように配置している。この場合、初期ＯＰＣエリアについても、図示のようにグルーブ側のＯＰＣエリアとランド側のＯＰＣエリアとを隣接させないような配置としている。
【０１６５】
なお、図１４ではインナーゾーンに対する設定例のみを例示したが、データゾーンへの設定についても、同様にグルーブ側のＯＰＣエリアとランド側のＯＰＣエリアとを隣接させないようにグルーブ側、ランド側へのＯＰＣエリア設定を行えばよい。
【０１６６】
ここで、ランドグルーブ記録が採用される場合、グルーブとランドでＯＰＣエリアの使用量に偏りが生じる場合もある。例えば、グルーブでレーザパワー調整及びライトストラテジ調整の双方を行い、ランドではレーザパワー調整のみを行うといった場合である。光記録媒体の任意の位置にＯＰＣエリアを設定できる実施の形態の記録装置によれば、上記のような使用量の偏りが生じる場合に適した配分によりグルーブ、ランドに対してＯＰＣエリアを設定することができる。
【０１６７】
［７．本技術］
本技術は、以下の構成を採ることもできる。
（１）
記録層を複数有する光記録媒体の前記記録層に対してレーザ光照射を行って情報の記録を行う記録部と、
レーザパワー制御のための試し書きを行うテストエリアを前記記録層ごとに設定し、設定したテストエリアの所在位置を表す情報を前記記録部により前記光記録媒体に記録させる制御部と、を備える
記録装置。
（２）
前記制御部は、
前記光記録媒体に適用されるファイルシステムの別に応じて前記テストエリアを設定し分ける
前記（１）に記載の記録装置。
（３）
前記制御部は、
前記設定したテストエリアのうち使用候補としたテストエリアである使用候補エリアについて、該使用候補エリアを使用するか否かの判定を、該使用候補エリアに対して前記光記録媒体の層方向におけるレーザ入射面とは逆側に重なっている奥側のテストエリアの使用状況に基づいて行う
前記（１）又は（２）に記載の記録装置。
（４）
前記制御部は、
前記設定したテストエリアのうち使用候補としたテストエリアである使用候補エリアについて、該使用候補エリアを使用するか否かの判定を、該使用候補エリアに対して前記光記録媒体の層方向におけるレーザ入射面側に重なっている手前側のテストエリアの使用状況に基づいて行う
前記（１）乃至（３）の何れかに記載の記録装置。
（５）
前記制御部は、
前記テストエリアの設定を、ユーザデータを記録するデータゾーンよりも内周側のインナーゾーンと前記データゾーンとを対象として行う
前記（１）乃至（４）の何れかに記載の記録装置。
（６）
前記制御部は、
前記光記録媒体に前記所在位置を表す情報が記録されている前記テストエリア以外の新たなテストエリアを前記データゾーンに対して設定し、該設定したテストエリアの所在位置を表す情報を前記記録部により前記光記録媒体に記録させる
前記（５）に記載の記録装置。
（７）
前記制御部は、
前記データゾーンに対して前記テストエリアを設定する場合は、設定対象とする前記記録層よりも前記レーザ入射面側にある手前側の前記記録層が未記録である領域に対して前記テストエリアを設定する
前記（６）に記載の記録装置。
（８）
前記制御部は、
前記データゾーンに対して前記テストエリアを設定する場合は、設定対象とする前記記録層よりも前記レーザ入射面の逆側にある奥側の前記記録層が記録済みである領域に対して前記テストエリアを設定する
前記（６）又は（７）に記載の記録装置。
【符号の説明】
【０１６８】
５０…ドライブ装置、５１…光学ピックアップ、５５…リーダ／ライタ回路、５６…変復調回路、５７…ＥＣＣエンコーダ／デコーダ、６０…システムコントローラ、１００…光記録媒体、１００ａ…レーザ入射面、Ｌ０，Ｌ１，Ｌ２…記録層
【図１】
2016189943.tif 000003
【図２】
2016189943.tif 000004
【図３】
2016189943.tif 000005
【図４】
2016189943.tif 000006
【図５】
2016189943.tif 000007
【図６】
2016189943.tif 000008
【図７】
2016189943.tif 000009
【図８】
2016189943.tif 000010
【図９】
2016189943.tif 000011
【図１０】
2016189943.tif 000012
【図１１】
2016189943.tif 000013
【図１２】
2016189943.tif 000014
【図１３】
2016189943.tif 000015
【図１４】
2016189943.tif 000016
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
記録層を複数有する光記録媒体の前記記録層に対してレーザ光照射を行って情報の記録を行う記録部と、
レーザパワー制御のための試し書きを行うテストエリアを前記光記録媒体に適用されるファイルシステムの別に応じて前記記録層ごとに設定し、設定したテストエリアの所在位置を表す情報を前記記録部により前記光記録媒体に記録させる制御部と、を備える
記録装置。
【請求項２】
前記制御部は、
前記設定したテストエリアのうち使用候補としたテストエリアである使用候補エリアについて、該使用候補エリアを使用するか否かの判定を、該使用候補エリアに対して前記光記録媒体の層方向におけるレーザ入射面とは逆側に重なっている奥側のテストエリアの使用状況に基づいて行う
請求項１に記載の記録装置。
【請求項３】
前記制御部は、
前記設定したテストエリアのうち使用候補としたテストエリアである使用候補エリアについて、該使用候補エリアを使用するか否かの判定を、該使用候補エリアに対して前記光記録媒体の層方向におけるレーザ入射面側に重なっている手前側のテストエリアの使用状況に基づいて行う
請求項１に記載の記録装置。
【請求項４】
前記制御部は、
前記テストエリアの設定を、ユーザデータを記録するデータゾーンよりも内周側のインナーゾーンと前記データゾーンとを対象として行う
請求項１に記載の記録装置。
【請求項５】
前記制御部は、
前記光記録媒体に前記所在位置を表す情報が記録されている前記テストエリア以外の新たなテストエリアを前記データゾーンに対して設定し、該設定したテストエリアの所在位置を表す情報を前記記録部により前記光記録媒体に記録させる
請求項１に記載の記録装置。
【請求項６】
前記制御部は、
前記データゾーンに対して前記テストエリアを設定する場合は、設定対象とする前記記録層よりも前記レーザ入射面側にある手前側の前記記録層が未記録である領域に対して前記テストエリアを設定する
請求項５に記載の記録装置。
【請求項７】
前記制御部は、
前記データゾーンに対して前記テストエリアを設定する場合は、設定対象とする前記記録層よりも前記レーザ入射面の逆側にある奥側の前記記録層が記録済みである領域に対して前記テストエリアを設定する
請求項５に記載の記録装置。
【請求項８】
記録層を複数有する光記録媒体の前記記録層ごとに、レーザパワー制御のための試し書きを行うテストエリアを前記光記録媒体に適用されるファイルシステムの別に応じて設定し、設定したテストエリアの所在位置を表す情報を前記光記録媒体に記録する
記録方法。
【請求項９】
記録層を複数有し、レーザパワー制御のための試し書きを行うテストエリアが、適用されるファイルシステムの別に応じて前記記録層ごとに設定され、設定されたテストエリアの所在位置を表す情報が記録される
光記録媒体。
【請求項１０】
記録層を複数有し、レーザパワー制御のための試し書きを行うテストエリアが、適用されるファイルシステムの別に応じて前記記録層ごとに設定され、設定されたテストエリアの所在位置を表す情報が記録される光記録媒体について、レーザ光照射を行って記録情報を再生する再生部と、
前記再生部により前記光記録媒体の記録情報を再生させ、前記テストエリアの所在位置を表す情報を取得する制御部と、を備える
再生装置。
【請求項１１】
記録層を複数有し、レーザパワー制御のための試し書きを行うテストエリアが、適用されるファイルシステムの別に応じて前記記録層ごとに設定され、設定されたテストエリアの所在位置を表す情報が記録される光記録媒体について、前記光記録媒体の記録情報を再生して、前記テストエリアの所在位置を表す情報を取得する
再生方法。
【請求項１２】
（削除）
【国際調査報告】
2016189943.tif 000017
2016189943.tif 000018
2016189943.tif 000019
2016189943.tif 000020